(57)【要約】【課題】描画物に関係した音声等を生成し出力する機能を付加してさらに商品価値を高めることができる壁掛け飾り具を提供する。【解決手段】壁掛け飾り具の一例であるタペストリー１０は、複数の入力ボタン２１ａ〜２１ｄと、スピーカ２０と、複数の入力ボタンのいずれかの入力操作に応じて、描画部１４に描かれた４つのキャラクタ１５〜１８のうち対応するキャラクタ関連する音声に係るデータを生成し、スピーカ２０に提供するメモリ内蔵プロセッサ２２とによって構成される。タペストリー１０では、４つの入力ボタンのいずれかを適宜に入力操作することにより、当該入力操作に応じて描画部に描かれたキャラクタに関係した音声等を出力する。【選択図】図１
0003146269.tif 000002
【実用新案登録請求の範囲】
【請求項１】
壁に掛けられるシート状の描画提示手段と、前記描画提示手段の下縁に設けられた横枠体とを備える壁掛け飾り具において、
複数の入力手段と、
発音手段と、
前記複数の入力手段のいずれかの入力操作に応じて、前記描画提示手段に描かれた複数または１つの描画物のうち対応する描画物または内容に関連する音声または音に係るデータを生成し、前記発音手段に提供するメモリ内蔵プロセッサと、
を備えることを特徴とする壁掛け飾り具。
【請求項２】
前記描画物は、漫画キャラクタ、有名人の絵もしくは写真、または自然物であることを特徴とする請求項１記載の壁掛け飾り具。
【請求項３】
前記複数の入力手段、前記発音手段、および前記メモリ内蔵プロセッサは前記横枠体に設けられることを特徴とする請求項１記載の壁掛け飾り具。
【考案の詳細な説明】
【技術分野】
【０００１】
本考案は壁掛け飾り具に関し、特に、描画物に関連する音声等を発生する機能を持たせて商品価値を高めた壁掛け飾り具に関するものである。
【背景技術】
【０００２】
壁掛け飾り具は、壁を飾る装飾品として東西問わず用いられてきた。殺風景な壁面を鮮やかにあるいは厳かに彩ってきた。
【０００３】
従来の壁掛け飾り具としてタペストリーや掛け軸などが知られている。タペストリー等は長い間親しまれ続けているが、あくまで描画物または表示物を見るためのものである。
【０００４】
このようなタペストリー等の商品としての価値は、タペストリー等の描画物自体のデザインや製作法、製作時期、製作者また描画内容によっても異なる。例えばタペストリーに特定の人物やキャラクターが描かれている場合、その描画内容に興味のない人々に対してその価値は高くないが、描画内容に好感を持つマニア的な人々に対しては高い価値を有するものとなる。
【０００５】
なお本考案に関連または類似する先行技術文献として特許文献１が存在する。
【特許文献１】特開平５−２９７４５９号公報
【考案の開示】
【考案が解決しようとする課題】
【０００６】
しかし、描画内容に好感を持つ人々は更なる価値をタペストリーに求めてくる。その場合、描画されている内容自体に価値を見出しており、従来のタペストリーでは構造的な面で更なる価値を加えることは容易ではなかった。本考案の課題は、タペストリー等に更なる商品的な価値を加えることにある。
【０００７】
本考案の目的は、上記の課題に鑑み、描画物に関係した音声等を生成し出力する機能を付加してさらに商品価値を高めることができる壁掛け飾り具を提供することにある。
【課題を解決するための手段】
【０００８】
本考案に係る壁掛け飾り具は、上記の目的を達成するため、次のように構成される。
【０００９】
第１の壁掛け飾り具（請求項１に対応）は、複数の入力手段と、発音手段と、複数の入力手段のいずれかの入力操作に応じて、描画提示手段に描かれた複数または１つの描画物のうち対応する描画物または内容に関連する音声または音に係るデータを生成し、発音手段に提供するメモリ内蔵プロセッサとによって構成されることを特徴とする。
【００１０】
上記の壁掛け飾り具では、複数の入力手段を適宜に入力操作することにより、当該入力操作に応じて描画提示手段に描画された描画物に関係した音声等を出力することできる。それにより、キャラクター等の描画物が描かれたタペストリー等に、当該描画物に関する音声等の出力という価値を加え、商品価値を高めることが可能となる。
【００１１】
第２の壁掛け飾り具（請求項２に対応）は、上記の構成において、好ましくは、描画物は、漫画キャラクタ、有名人の絵もしくは写真、または自然物であることを特徴とする。
【００１２】
上記の壁掛け飾り具では、発生する音声が漫画キャラクター、有名人、自然物に関連するものなので、それらを好む人に対してより価値の高い壁掛け飾りを提供できる。
【００１３】
第３の壁掛け飾り具(請求項３に対応）は、上記の構成において、好ましくは、複数の入力手段、発音手段、およびメモリ内蔵プロセッサは横枠体に設けられることを特徴とする。
【００１４】
上記の壁掛け飾り具では、横枠体に音声出力に関係する機能を集中させることで構造を簡略化できる。
【考案の効果】
【００１５】
本考案に係る壁掛け飾り具によれば、当該壁掛け飾り具に描画された内容に関連する音声や音を選択操作に基づいて出力できるように構成したため、タペストリー等の壁掛け飾り具の商品価値を高めることができる。
【考案を実施するための最良の形態】
【００１６】
以下に、本考案の好適な実施形態（実施例）を添付図面に基づいて説明する。
【００１７】
図１〜図３を参照して本考案に係る壁掛け飾り具の第１の実施形態を説明する。第１の実施形態に係る壁掛け飾り具は一例としてタペストリー１０を示す。図１はタペストリー１０の正面斜視図を示し、図２はタペストリー１０に付設された音声発生用の電子回路ユニットの構成を示す回路ブロック図を示し、図３は電子回路ユニット内のマイクロプロセッサで実行される処理動作を示すフローチャートである。第１の実施形態に係るタピストリー１０では、その描画面に複数の漫画キャラクタが描かれている。
【００１８】
タペストリー１０は、壁面に取り付けられた壁掛け金具１１につり紐１３で吊り下げられている。吊り紐１３は、タペストリー１０の上縁部に設けたポール１２の両端に固定されたタペストリー１０の描画部１３はシート状部材で形成されている。シート状描画部１３の材質には、ビニール材、紙、布等の任意の材質が使用される。描画部１４には複数の例えば漫画のキャラクタ１５，１６，１７，１８（キャラクタ（Ａ），（Ｂ），（Ｃ），（Ｄ））が描かれている。
【００１９】
描画部１４の下縁部には横枠体１９が設けられている。横枠体１９の正面中央部にはスピーカ２０が設けられ、さらに横枠体１９の正面部でスピーカ２０の周囲の領域には押し操作用の例えば８個の入力ボタン２１，２１ａ，２１ｂ，２１ｃ，２１ｄが設けられている。これらの入力ボタン２１，２１ａ，２１ｂ，２１ｃ，２１ｄはすべて同じ機能を有するスイッチ手段である。いずれかの入力ボタン２１，２１ａ，２１ｂ，２１ｃ，２１ｄを押し操作すると、予め対応づけられたキャラクタの音声を発生するように構成されている。４つの入力ボタン２１ａ，２１ｂ，２１ｃ，２１ｄは、それぞれ、描画部１４に描かれたキャラクタ１５，１６，１７，１８に対応づけられている。この実施形態の場合には、入力ボタン２１ａはキャラクタ１５（キャラクタ（Ａ））に対応し、入力ボタン２１ｂはキャラクタ１６（キャラクタ（Ｂ））に対応し、入力ボタン２１ｃはキャラクタ１７（キャラクタ（Ｃ））に対応し、入力ボタン２１ｄはキャラクタ１８（キャラクタ（Ｄ））に対応している。残りの４つの入力ボタン２１については、特に対応づけられておらず、対応関係は空きの状態である。他の入力ボタン２１は、さらに多くのキャラクタが描かれた場合に、それぞれのキャラクタに割り当てることができる。またキャラクタごとに１つずつの入力ボタンを割り当てるのではなく、複数の入力ボタンを１つのキャラクタに割り当てることもできる。
【００２０】
上記のスピーカ２０および入力ボタン２０，２１ａ〜２１ｄの機械的構造部分は横枠体１９の内部スペースに収納されている。また横枠体１９の内部スペースにはメモリ内蔵プロセッサ２２が設けられている。プロセッサ２２は、入力ボタン２１，２１ａ〜２１ｄのいずれかから出力される操作信号を入力し、対応する音声データを取り出し、スピーカ２０に音声を出力させる機能を有している。
【００２１】
利用者が、壁に飾られたタペストリー１０において、例えば入力ボタン２１ａを押すと、スピーカ２０からキャラクタ１５の音声で予め用意されているセリフが発生する。また例えば入力ボタン２１ｂを押すとキャラクタ１６の音声が発生する。
【００２２】
図２を参照してメモリ内蔵プロセッサ２２の構成を説明する。プロセッサ２２は、入力部２３と信号処理部２４とメモリ２５と出力部２８を有している。上記の入力ボタン２１，２１ａ〜２１ｄからの出力信号は入力部２３を経由して信号処理部２４に入力される。メモリ２５には、音声出力プログラム２６と、前述したキャラクタ１５〜１８の各々の音声データ２７ａ，２７ｂ，２７ｃ，２７ｄとが格納されている。信号処理部２４で取り出された出力用データは、出力部２８を経由してスピーカ２０に供給される。
【００２３】
上記の回路構成によって、例えば入力ボタン２１ａを押すと、入力ボタン２１ａから出力された入力信号が入力部２３を経由して信号処理部２４へ送られる。信号処理部２４では、メモリ２５の音声出力プログラム２６に基づき、送られてきた入力ボタン信号に対応する音声データ２７ａを呼び出す。呼び出された音声データ２７ａは信号処理部２４で音声出力信号に変換される。変換された音声出力信号は出力部２８を経由してスピーカ２０に供給され、音声として出力される。
【００２４】
図３を参照して、音声出力プログラム２６に基づく信号処理部２４の動作内容を説明する。
【００２５】
入力ボタン２１ａ〜２１ｄのいずれかが押されるまで、信号処理部２４の動作状態は待機状態に保持される。入力ボタン２１ａ〜２１ｄのいずれかが押されたと判定すると（ステップＳ１１）、入力ボタンが押されたという情報と共に押された当該入力ボタンに事前に割り当てられた番号（ｘ）を取り込む（ステップＳ１２）。
【００２６】
次に信号処理部２４では、押された入力ボタンに係る番号（ｘ）を呼出しデータに変換する（ステップＳ１３）。判断ステップＳ１４では、呼出しデータに係る番号（ｘ）が１〜４のいずれであるかを判断する。ｘ＝１であるときにはメモリ２５内の音声データ２７ａが呼び出される（ステップＳ１５）。ｘ＝２であるときにはメモリ２５内の音声データ２７ｂが呼び出される（ステップＳ１６）。ｘ＝３であるときにはメモリ２５内の音声データ２７ｃが呼び出される（ステップＳ１７）。ｘ＝４であるときにはメモリ２５内の音声データ２７ｄが呼び出される（ステップＳ１８）。その後、信号処理部２４では、呼び出した音声データ（２７ａ〜２７ｂ）を音声出力信号に変換する（ステップＳ１９）。変換された音声出力信号をスピーカ２０に供給してスピーカ２０を駆動すると、スピーカ２０から音声が出力される（ステップＳ２０）。プロセッサ２２の信号処理部２４では、次にいずれかの入力ボタン２１ａ〜２１ｄが押されるまで待機する。
【００２７】
上記の構成および動作に基づき、上記のタペストリー１０で利用者が入力ボタン２１ａ〜２１ｄのいずれを操作すると、操作した入力ボタンに対応するキャラクタ１５〜１８の音声をスピーカ２０から出すことができる。
【００２８】
次に図４を参照して本考案の第２の実施形態を説明する。図４は上記の図１と同様な正面斜視図である。図２および図３を参照して説明した第１実施形態の基本的な構成は、第２の実施形態でも同じであるので、説明を省略する。また図４において、図１で説明した要素と実質的に同一の要素には同一の符号を付している。第２の実施形態に係るタペストリー１０では、描画部１４に例えばレスラー等の人物２９が描かれている。本実施形態に係るタペストリー１０でも４つの入力ボタン２１ａ〜２１ｄが設けられている。入力ボタン２１ａ〜２１ｄのそれぞれは、人物２９に関係する４つの音声パターンに対応している。４つの音声パターンとしては人物２９の言葉、キャッチフレーズ、テーマソング等である。４つの音声パターンは上記のメモリ２５内で音声データ等として記憶されている。入力ボタン２１ａ〜２１ｄのいずれかが押されると、信号処理部２４はメモリ２５から対応する音声データ等を取り出し、スピーカ２０から出力させる。
【００２９】
次に図５を参照して本考案の第３の実施形態を説明する。図５は上記の図１と同様な正面斜視図である。図２および図３を参照して説明した第１実施形態の基本的な構成は、第３の実施形態でも同じであるので、説明を省略する。また図５において、図１で説明した要素と実質的に同一の要素には同一の符号を付している。第３の実施形態に係るタペストリー１０では、その描画部１４に自然物に係る風景３１が描かれている。
【００３０】
本実施形態に係るタペストリー１０でも４つの入力ボタン２１ａ〜２１ｄが設けられている。入力ボタン２１ａ〜２１ｄのそれぞれは、風景３１に関係する４つの音パターンに対応している。４つの音パターンとしては風景３１に関連する音であり、例えば風の音、波の音等である。４つの音パターンは上記のメモリ２５内で音データとして記憶されている。入力ボタン２１ａ〜２１ｄのいずれかが押されると、信号処理部２４はメモリ２５から対応する音データ等を取り出し、スピーカ２０から出力させる。
【００３１】
以上の実施形態で説明された構成、形状、大きさおよび配置関係については本考案が理解・実施できる程度に概略的に示したものにすぎない。従って本考案は、説明された実施形態に限定されるものではなく、実用新案登録請求の範囲に示される技術的思想の範囲を逸脱しない限り様々な形態に変更することができる。
【産業上の利用可能性】
【００３２】
本考案に係る壁掛け飾り具は、発音機能付きタペストリー商品の販売や、描画物に関係したイベントの宣伝や販促などに利用できる。
【図面の簡単な説明】
【００３３】
【図１】本考案に係る壁掛け飾り具の第１の実施形態を示し、タペストリーの正面斜視図である。
【図２】第１の実施形態に係るタペストリーに付設された音声発生用の電子回路ユニットの構成を示す回路ブロック図である。
【図３】電子回路ユニット内のマイクロプロセッサで実行される処理動作を示すフローチャートである。
【図４】本考案に係る壁掛け飾り具の第２の実施形態を示し、タペストリーの正面斜視図である。
【図５】本考案に係る壁掛け飾り具の第３の実施形態を示し、タペストリーの正面斜視図である。
【符号の説明】
【００３４】
１０            タペストリー
１４            描画部
１５            キャラクタ（Ａ）
１６            キャラクタ（Ｂ）
１７            キャラクタ（Ｃ）
１８            キャラクタ（Ｄ）
２０            スピーカ
２１            入力ボタン
２１ａ〜２１ｄ  入力ボタン
２２            メモリ内蔵プロセッサ
２４            信号処理部
２５            メモリ
２６            音声出力プログラム
２７ａ〜２７ｄ  音声データ
２９            人物像
３１            風景
【図１】
0003146269.tif 000003
【図２】
0003146269.tif 000004
【図３】
0003146269.tif 000005
【図４】
0003146269.tif 000006
【図５】
0003146269.tif 000007